(57)【特許請求の範囲】
【請求項１】
入力鍵盤の音高に対し所望の倍音比となる９種の音高の出力レベルを適宜調整して出力可能な９本のスライダーを１セットとしたスライダー群を２セット具備し、各スライダー群を切り換えて選択することにより出力音の音色変更が可能な電子オルガンのスライダー割り当て方式において、前記２セットのスライダー群を別個に使用する第１のモードと、前記２セットのスライダー群のうち、一方のスライダー群に搭載される９本のスライダーを、他方のスライダー群に搭載される９本のスライダーとは音高或いは音色（パーカッション）のいずれかが異なるように設定し、合計１８本のスライダーを１セットのスライダー群として使用する第２のモードと、を切り換えるように構成したことを特徴とする電子オルガンのスライダー割り当て方式。
【発明の詳細な説明】
【０００１】
【発明の属する技術分野】
本発明は、スライダーを有する電子オルガン及び電子オルガンのスライダー割り当て方式に関し、特に、出力される音色の音響効果を向上させる技術に関する。
【０００２】
【従来の技術】
近年、電子楽器として多く使用されている電子オルガンは、旧来より用いられている電磁機械式のオルガンを擬似的に再現するために、スライダー（ドローバーとも称する）を具備している。
【０００３】
通常、電子オルガンには９本のスライダーが搭載され、９本の各スライダーには、それぞれ、基音（８’）、２倍音（４’）、３倍音（２-2/3’）、４倍音（２’）、５倍音（１-2/3’）、６倍音（１-1/3’）、８倍音（１’）、基音よりも１オクターブ低い音（１６’）、１６’の３倍音（５-1/3’）が割り当てられている。なお、「’」は「フィート」に対応し、ハイフン「−」は帯分数を示す。
【０００４】
電子オルガンの任意の鍵盤を押鍵すると、この鍵盤に対応する音高を基音として上記９種の倍音の音高が同時に出力されるので、オルガン独特の音色を得ることができる。例えば、オルガンの中央のＣ（ド）の鍵盤を押鍵すると、この音高が基音となるので、図７の譜面に示す如くの各音高が出力されることになる。更に、上記９本のスライダーとは別にタブレットスイッチを有しており、２倍音のパーカッション、及び３倍音のパーカッションを合成することができるようになっている。なお、パーカッションとは、瞬時的に音が出力され、その後、徐々に減衰するように変化する音色のことである。
【０００５】
そして、各スライダーを操作することにより、各倍音の出力音量を調整することができるので、当該スライダーを適宜設定することにより、奏者の好みに合った音色を出力することができる。例えば、上記の９種の音高のうち、５倍音の出力を低減させたい場合には、この５倍音に対応するスライダー（１-2/3’）を操作することにより、５倍音の出力レベルを抑制することができる。
【０００６】
ところが、上記した従来の電子オルガンは、８倍音までの倍音成分の合成が行われるものであり、それ以上の倍音成分を合成することができず、所謂ハモンド風の音色から抜けきれない。特に、自然倍音の中の高次の倍音が不足しており、音響効果的な広がりに限界がある。更に、パーカッション効果を付加する音高は、２倍音（４’）と３倍音（２-2/3’）の２音のみであり、合成音にアタック感を付加する上での制約となっていた。
【０００７】
【発明が解決しようとする課題】
上記したように、従来における電子オルガンでは、押鍵した鍵盤の音高を基音とし、この基音に対して所望の倍音比となる８種の音高（基音を含めて合計９種の音高）を出力するものであり、より高次の倍音成分を合成したいという要望に対応できるものではなかった。また、タブレットスイッチを操作することにより、２種のパーカッション出力（２倍音、３倍音）を合成することができるものの、その他の音高のパーカッション出力を合成することができず、より迫力のあるアタック感を付加することができないという欠点があった。
【０００８】
この発明はこのような従来の課題を解決するためになされたものであり、その目的とするところは、従来より使用されているスライダーの機能を損なうことなく、且つ、より多くの音高、或いはパーカッション出力を合成することのできる電子オルガン及び電子オルガンに用いられるスライダー割り当て方式を提供することにある。
【０００９】
【課題を解決するための手段】
上記目的を達成するため、本願請求項１に記載の電子オルガンは、
入力鍵盤の音高に対し所望の倍音比となる９種の音高の出力レベルを適宜調整して出力可能な９本のスライダーを１セットとしたスライダー群を２セット具備し、各スライダー群を切り換えて選択することにより出力音の音色変更が可能な電子オルガンのスライダー割り当て方式において、前記２セットのスライダー群を別個に使用する第１のモードと、前記２セットのスライダー群のうち、一方のスライダー群に搭載される９本のスライダーを、他方のスライダー群に搭載される９本のスライダーとは音高或いは音色（パーカッション）が異なるように設定し、合計１８本のスライダーを１セットのスライダー群として使用する第２のモードと、を切り換えるように構成した。
【００１０】
また、本発明の電子オルガンは、入力鍵盤の音高に対し所望の倍音比となる９種の音高或いは音色の出力レベルを適宜調整して出力可能な９本のスライダーを１セットとするスライダー群を、複数セット具備した電子オルガンにおいて、前記複数セットのスライダー群のうち、少なくとも１セットのスライダー群は、更に、前記入力鍵盤の音高に対して所望の倍音比となる音高或いは音色の出力レベルを調整して出力可能な１以上のスライダーを追加搭載し、合計１０以上のスライダーを具備した。
【００１１】
本発明の電子オルガンは、入力鍵盤の音高に対し所望の倍音比となる９種の音高或いは音色の出力レベルを適宜調整して出力可能な９本のスライダーを１セットとするスライダー群を具備した電子オルガンにおいて、前記スライダー群は、更に、前記入力鍵盤の音高に対して、前記９本のスライダーとは音高或いは音色（パーカッション）のいずれかが異なる９本のスライダーを追加搭載し、合計１８本のスライダーを具備した。
【００１２】
本発明の電子オルガンは、前記追加搭載する９本のスライダーは、入力鍵盤の音高に対して以下の（１）〜（１０）に示す１０種の音高或いは音色（パーカッション）から選択される９種であることを特徴とする。
（１）１オクターブ下のパーカッション（２）１オクターブ下の３倍音のパーカッション（３）４倍音のパーカッション（４）８倍音のパーカッション（５）１０倍音（６）１２倍音（７）１６倍音（８）２０倍音（９）２４倍音（１０）３２倍音
【００１３】
本発明の電子オルガンは、前記各スライダーに割り当てられている音高或いは音色は、高音域または低音域の少なくとも一方において、折り返し処理が加えられる。
【００１４】
本発明の電子オルガンは、前記各スライダーに割り当てられている音高或いは音色（パーカッション）は、当該電子オルガンの全音域において、１オクターブ上昇する毎に折り返し処理が加えられる。
【００１５】
本発明のスライダー割り当て方式は、入力鍵盤の音高に対し所望の倍音比となる９種の音高或いは音色の出力レベルを適宜調整して出力可能な９本のスライダーを１セットとしたスライダー群を２セット具備し、各スライダー群を切り換えて選択することにより出力音の音色変更が可能な電子オルガンのスライダー割り当て方式において、前記２セットのスライダー群を別個に使用する第１のモードと、前記２セットのスライダー群のうち、一方のスライダー群に搭載される９本のスライダーを、他方のスライダー群に搭載される９本のスライダーとは音高或いは音色（パーカッション）が異なるように設定し、合計１８本のスライダーを１セットのスライダー群として使用する第２のモードと、を切り換えるように構成したことを特徴とする。
【００１８】
上述の如く構成された本発明の電子オルガンでは、従来より使用されている９本を１セットとするスライダーに対して、新たに１本以上のスライダーを追加搭載し、合計１０本以上のスライダーを用いて倍音成分或いは音色（パーカッション）を出力することができるようになる。これにより、臨場感、アタック感に富む楽音出力が可能となる。
【００１９】
また、本発明の電子オルガンのスライダー割り当て方式では、９本２セットで合計１８本のスライダーを具備した電子オルガンにおいて、９本２セットとして使用するモード（第１のモード）と、１０本以上を１セットとして使用するモード（第２のモード）を切り換えて使用することができるようになる。
【００２０】
【発明の実施の形態】
以下、本発明の実施形態を図面に基づいて説明する。図１は、本発明が適用された電子オルガンの、第１の実施形態の構成を示す外観図、図２は、この電子オルガンの内部構成を示すブロック図である。
【００２１】
図１、図２に示すように、この電子オルガン１は、全体で約５オクターブの音域を有しており、６１個の鍵ｋ-1〜ｋ-61（白鍵及び黒鍵）から成る鍵盤ｋと、当該電子オルガン１を総括的に制御するＣＰＵ３と、ＣＰＵ３の制御下で楽音信号を生成して出力する音源回路４と、Ｄ／Ａ変換器５と、外部ＭＩＤＩ機器との間でＭＩＤＩ信号の送受信を行うＭＩＤＩインターフェース６と、を具備している。更に、１８本を１セットとしたスライダーＳ-1〜Ｓ-18からなるスライダー群Ｓを具備している。
【００２２】
ＣＰＵ３は、折り返し制御部３ａを具備しており、当該折り返し制御部３ａでは、押鍵した鍵（基音）の倍音成分となる音高が、高音域或いは低音域に達する場合には、これを適宜折り返す処理を行う。例えば、基音に対して、３２倍音となる音高の周波数が極めて高くなり、楽音的にあまり意味を持たない周波数帯域となる場合には、この音高を１オクターブ下の音高に切り換える（これを、折り返しという）ことにより、自然な感覚の音色を出力することができる。
【００２３】
次に、上記のように構成された本実施形態の作用について説明する。本実施形態では、１８本のスライダーＳ-1〜Ｓ-18のうちの９本のスライダー（Ｓ-1〜Ｓ-9）に、従来の電子オルガンで使用されているスライダーと同様の音高（倍音成分）を割り当て、更に、残りの９本のスライダー（Ｓ-10〜Ｓ-18）に、前記９本のスライダーとは異なる音高（倍音成分）或いはパーカッションを割り当てる。例えば、以下の表１に示すように、割り当てを設定する。
【００２４】
【表１】
0004215366.tif 000002
【００２５】
なお、表１の「’」は「フィート」を示し、ハイフン「−」は帯分数を示す。また、「パーカッション」とは、押鍵時に瞬時的に発音され、その後、徐々に減衰する特性を有する音色を示す。
【００２６】
そして、上記のように１８本のスライダーＳ-1〜Ｓ-18を用いることにより、一つの鍵を押鍵すると、該鍵を基音とした１８種の音高或いはパーカッションを合成した音が発音されるので、従来の電子オルガンと比較して、より多くの倍音成分、或いはパーカッションの成分を含んだ臨場感のある音を出力することができる。
【００２７】
また、１８本のスライダーＳ-1〜Ｓ-18を、左側からＳ-1〜Ｓ-18の順序で配列することにより、従来より使用されている９本のスライダーＳ-1〜Ｓ-9が従来どおりに配列されるので、奏者は従来と同様の感覚で９本のスライダーＳ-1〜Ｓ-9を操作することができ、且つ、これとは別に、追加された９本のスライダーＳ-10〜Ｓ-18をも操作することができるようになる。
【００２８】
また、図１に示した折り返し制御部３ａは、基音に対する倍音成分が、オルガンの高音域に達した場合には、この倍音成分を折り返す制御を行う。つまり、基音に対して倍率の高い音高は、周波数が極めて高くなることがあり、この音高を出力しても、和音的にあまり意味がない。例えば、基音の周波数が２６１Ｈｚである場合には、この３２倍音の周波数は８３７２Ｈｚとなり（丁度３２倍とならないのは、小数点以下の数値の処理による）、このような高い周波数の音は、人間の耳で聞き取りにくい周波数の領域であるのでこの音高を出力することは和音的にあまり意味がなく、むしろ音量感が減少して不自然な感じを与える。また、低い周波数帯域においても同様のことが言える。
【００２９】
そこで、本実施形態では、高音域、或いは低音域に達した倍音成分については、適宜折り返しの処理を加えることにより、発音される音の音量感を低減させることなく、且つ、自然な音感を損なうことなく発音させる。
【００３０】
折り返しの例として、例えば、図３に示すように設定することができる。この例では、１６’（基音よりも１オクターブ低い音）については、鍵ｋ-13で１オクターブ上昇するように折り返し処理を加えている。また、２’（４倍音）は、鍵ｋ-49で１オクターブ低下するように折り返し処理を加えている。同様に、１／４’（３２倍音）は、鍵ｋ-25、ｋ-37、ｋ-49の３つの音高でそれぞれ１オクターブ低下するように折り返し処理を加えている。なお、図３では、１８本のスライダーのうち主要な７本のスライダーについてのみ、折り返しのチャート図を示しているが、その他のスライダーについても同様に、所望の箇所で折り返し処理が加えられる。
【００３１】
このようにして、本実施形態における電子オルガン１では、スライダーを１８本搭載し、これらの各スライダー（Ｓ-1〜Ｓ-18）に各種の音高或いはパーカッション（音色）を割り当てる構成としている。従って、１つの鍵を押鍵すると、この鍵を基音として合計１８種の音高或いはパーカッションが同時に出力されるので、従来より使用されている９本のスライダーを具備した電子オルガンと比較して、臨場感、アタック感に富んだ音色を出力することができる。
【００３２】
また、高音域、或いは低音域に達する音高は、適宜折り返しの処理が加えられるので、音量感を減衰させることなく、自然な音色を出力することが可能となる。更に、スライダー群Ｓに搭載される１８本のスライダーのうち、９本のスライダーＳ-1〜Ｓ-9については、従来の電子オルガンにて使用されているスライダーと同一の配列とし、新たに追加するスライダーＳ-10〜Ｓ-18に、従来の９本のスライダーＳ-1〜Ｓ-9とは異なる音高或いはパーカッションが割り当てられるので、奏者は従来通りの操作感覚で、９本のスライダーＳ-1〜Ｓ-9を操作することができ、操作性が良い。
【００３３】
図４は、上記した第１の実施形態の電子オルガン１における、折り返し処理の変形例を示す説明図である。同図に示すように、この折り返し処理では、基音に対する全ての倍音成分或いはパーカッションに対し、１オクターブ毎に折り返し処理を加えるように構成している。即ち、８’（基音）の音階を例にとると、鍵ｋ-1から鍵ｋ-12まで徐々に音階が上昇し、鍵ｋ-13で、１オクターブ下の音階（鍵ｋ-1と同一の音階）に折り返される。その他の倍音成分及びパーカッションについても同様の処理が加えられる。
【００３４】
そして、このような折り返し処理を加えることにより、奏者が鍵盤ｋを左側から右側に向けて順次押鍵すると、あたかも音階が無限に上昇するような音色を出力することができる。即ち、実際には鍵ｋ-1と、ｋ-13は同一の１８種の倍音成分及びパーカッションが出力されるようになされているが、鍵ｋ-1、ｋ-2、・・と順次押鍵すると、人間の耳には、鍵ｋ-13を越えてもあたかも音階が上昇している如くの音感が得られる。
【００３５】
このような構成によれば、音階が無限に上昇する如くの音色を得ることができるので、ライブ演奏時等において極めて有用である。
なお、上記した実施形態では、表１に示す９本のスライダーＳ-10〜Ｓ-18を追加搭載する例について説明したが、本発明はこれに限定されるものではなく、例えば、追加搭載する９本のスライダーＳ-10〜Ｓ-18のうちの一つを削除し、その代わりに１０倍音を操作可能なスライダーを割り当てるように構成することもできる。
【００３６】
また、上記した実施形態では、従来より使用されている９本のスライダーＳ-1〜Ｓ-9を配置し、これに対して新たに９本のスライダーＳ-10〜Ｓ-18を追加搭載する例について説明したが、本発明はこれに限定されるものではなく、追加搭載するスライダーの本数は、１以上であれば本発明の効果を達成することができる。例えば、従来の９本のスライダーＳ-1〜Ｓ-9に対して、この９本のスライダーとは異なる音高或いは音色の出力レベルを操作可能な１本のスライダーを追加し、合計１０本のスライダーを使用して、出力音色を調整するようにしても良い。
【００３７】
更に、上記した実施形態では、９本のスライダーを具備した電子オルガンに対し、１本以上のスライダーを追加搭載する例について説明したが、例えば、９本のスライダーを複数セット具備した電子オルガンに対し、このうちの１つのセットとなるスライダー群に対して、１本以上のスライダーを追加搭載する構成とすることもできる。このような構成においても上記と同様の効果を得ることができる。
【００３８】
次に、本発明の第２の実施形態について説明する。従来の電子オルガンにおいては、９本のスライダー群を２セット有し、合計１８本のスライダーを具備したタイプのものが実用に供されている。このような電子オルガンでは、基音に対する倍音比が全て同一とされた２セットのスライダー群の各スライダーを、所望の出力レベルに設定し、奏者が演奏する楽曲に応じて適宜スライダー群を選択することにより、楽曲にあった倍音比を設定することができる。
【００３９】
本実施形態の電子オルガンでは、従来より使用されている１８本のスライダーを、従来と同様の９本２セットとして使用するモード（第１のモード）と、新たに追加する１８本１セットとして使用するモード（第２のモード）とを切り換えて使用するものである。
【００４０】
図５は、第２の実施形態に係る電子オルガン２１の構成を示す外観図、図６は内部構成を示すブロック図である。図示のように、この電子オルガン２１は、９本のスライダーを１セットとしたスライダー群が２セット設置され、合計１８本のスライダーが設置されている。即ち、第１のスライダー群Ｓａは９本のスライダーＳ-21〜Ｓ-29を具備し、第２のスライダー群Ｓｂは９本のスライダーＳ-31〜Ｓ-39を具備している。更に、モード選択スイッチ７が搭載され、該モード選択スイッチ７を操作することにより、１８本のスライダーを９本ずつの２セットとするモード（第１のモード）と、１８本１セットとするモード（第２のモード）とを切り換えることができるように構成されている。
【００４１】
そして、このような構成において、モード選択スイッチ７にて第２のモードを選択すれば、上記した第１の実施形態と同様に、押鍵した鍵を基音とする１８種の音高、或いはパーカッションが出力されるので、従来の９本のスライダーを使用する場合と比較して極めて臨場感に富む音色を出力することが可能となる。
【００４２】
また、第１のスライダー群Ｓａは、従来より使用されている９本のスライダーと同様の倍音比を有する音高が設定され、第２のスライダー群Ｓｂに、新たな倍音比となる音高、或いはパーカッションが設置されるので、奏者は従来通りの操作感覚で第１のスライダー群Ｓａを操作することができ、更に、第２のスライダー群Ｓｂに新たに追加された倍音比となる音高、或いはパーカッションを出力することができる。
【００４３】
また、モード選択スイッチ７により、第１のモードを選択すれば、従来通りに９本を１セットとしたスライダー群を２セット具備することになるので、奏者は演奏する楽曲に合わせて、適宜２つのスライダー群Ｓａ、Ｓｂを選択することができ、汎用性の高い演奏が可能となる。
【００４４】
更に、本実施形態においても、上記した第１の実施形態と同様に、倍音成分が高音域、或いは低音域に達する場合に、これを折り返す処理を加えることにより、音量感を損なうことのない自然な音色を出力することができる。また、各スライダーに割り当てられる倍音、或いはパーカッションの全てを１オクターブ毎に折り返すように構成すれば、あたかも無限に音階が上昇する如くの音色を出力することができるようになる。
【００４５】
【発明の効果】
以上説明したように、本発明に係る電子オルガンでは、従来より使用されている９本のスライダーに対し、これら９本のスライダーとは音高、或いは音色が異なる新たなスライダーを少なくとも１本追加搭載しているので、従来の電子オルガンと比較すると、より汎用性に富み、且つ臨場感の高い音色を出力することができるようになる。
【００４６】
また、本発明に係る電子オルガンのスライダー割り当て方式によれば、従来より用いられている９本２セットで合計１８本のスライダーを有する電子オルガンにおいて、スライダーの割り当てを第１のモード、或いは第２のモードに切り換えることにより、汎用性に富む使用形態を選択することができる。即ち、９本２セットとする第１のモードを選択すると、従来より使用されている９本２セットのスライダーを具備する電子オルガンと同様の操作が可能となり、他方、１８本１セットとする第２のモードを選択すると、従来より使用されている９本のスライダーに対して、更に、新たな９種の音高、或いは音色（パーカッション）が追加されるので、より臨場感のある音色を出力することができる。
【図面の簡単な説明】
【図１】本発明の第１の実施形態に係る電子オルガンの構成を示す外観図である。
【図２】第１の実施形態に係る電子オルガンの、内部構成を示すブロック図である。
【図３】高い周波数帯域、或いは低い周波数帯域にて倍音成分を折り返す様子を示すチャート図である。
【図４】全音階に対して１オクターブ毎に折り返し処理を行う際の、折り返しの様子を示すチャート図である。
【図５】本発明の第２の実施形態に係る電子オルガンの構成を示す外観図である。
【図６】第２の実施形態に係る電子オルガンの、内部構成を示すブロック図である。
【図７】従来における９種の倍音成分の音高を示す譜面図である。
【符号の説明】
１，２１  電子オルガン
３  ＣＰＵ
３ａ  折り返し制御部
４  音源回路
５  Ｄ／Ａ変換器
６  ＭＩＤＩインターフェース
７  モード選択スイッチ
ｋ  鍵盤
ｋ-1〜ｋ-61  鍵
Ｓ  スライダー群
Ｓａ  第１のスライダー群
Ｓｂ  第２のスライダー群
Ｓ-1〜Ｓ-18  スライダー
Ｓ-21〜Ｓ-29  スライダー
Ｓ-31〜Ｓ-39  スライダー
【図１】
0004215366.tif 000003
【図２】
0004215366.tif 000004
【図３】
0004215366.tif 000005
【図４】
0004215366.tif 000006
【図５】
0004215366.tif 000007
【図６】
0004215366.tif 000008
【図７】
0004215366.tif 000009